(57)【要約】【課題】ファン等の電気機器を備えた移動自在な椅子への充電を、手間を要することなく簡単に行うことを実現する。【手段】背もたれ９の前端部に無線受電部４０を設けている。椅子２とセットで使用される机１における天板３の前端部に無線送電部６を設けている。人が離席して椅子２を机１に収納すると、無線受電部４０が無線送電部６に近接して、無線送電部６から無線受電部４０に送電され、椅子２に設けたバッテリー２６が充電される。椅子２の座８や背もたれ９には温度制御用ファンやヒータが内蔵されており、個々人にマッチした作業環境を実現できる。【選択図】図１
2013046548.tif 000002
【特許請求の範囲】
【請求項１】
脚で支持された座とバッテリーとを備えた移動自在な椅子であって、その適宜部位に、机に設けた無線送電部から送電された電力を受電して前記バッテリーに供給する無線受電部を設けている、
移動自在な椅子。
【請求項２】
更に背もたれを備えており、前記背もたれと座とのうちいずれか一方又は両方に、前記無線受電部を設けていると共に、前記バッテリーで作動する温度又は湿度の制御手段を段けている、
請求項１に記載した移動自在な椅子。                                              
【請求項３】
天板とこれを支持する支持体とを有しており、前記天板の前端部に、前記椅子の背もたれに設けた無線受電部に送電する無線送電部を設けているか、又は、前記天板の下面部に、前記椅子の座に設けた無線受電部に送電する無線送電部を設けている、
机。
【請求項４】
天板を有する机と座及び背もたれを有する移動自在な椅子との組み合わせであって、前記机における天板の前端部に無線送電部を設けている一方、前記椅子はバッテリーを備えており、前記椅子における背もたれの前面部に、当該前面部を前記机における天板の前端部に当接又は近接させると前記無線送電部から受電可能な無線受電部を設けている、
机と椅子との組み合わせ。
【請求項５】
前記机の天板と椅子の背もたれとのうちいずれか一方又は両方に、前記無線送電部から無線受電部に通電中であることを視覚的に視認させる表示手段が設けられている、
請求項４に記載した机と椅子の組み合わせ。
【請求項６】
前記椅子をその背もたれが机の天板の前端に当接又は近接するようにセットして前記無線送電部から無線受電部に通電が開始されることにより、
前記机の内部に配置した袖キャビネットにおける引出しをロックする電気錠が施錠状態に作動することと、前記机に設けた引出しをロックする電気錠が施錠状態に作動することと、前記机の上に設置した照明スタンドが消灯することと、前記椅子に設けた温度又は湿度の制御装置がＯＦＦになることとのうちの少なくとも１つが実行される、
請求項４又は５に記載した机と椅子の組み合わせ。
【発明の詳細な説明】
【技術分野】
【０００１】
本願発明は、移動自在な椅子、及びこれとセットで使用される机、並びにこれら机と椅子との組み合わせに関するものである。
【背景技術】
【０００２】
電力エネルギーを効率的に使用することは我が国に課せられた課題であり、オフィスにおいても効率的な電力利用が求められている。オフィスでの使用電力の大きなウエイトを占めるのが空調設備であり、そこで、室の全体でなくピンポイント的に空調することで消費電力の低減を図ることが提案されている。
【０００３】
その一例として例えば特許文献１には、キャスタを有する移動自在な椅子において、座や背もたれの内部にファンを設けて、椅子に加温機能や冷却機能、或いは除湿機能を持たせることが開示されている。
【０００４】
室の全体を空調するに過ぎない場合、空気の吹き出し口に近い部位と遠い部位とで温度に違いが生じたり、キャビネット等の什器によって空気の流れが遮られて適切に空調されない等の温度ムラが発生しやすいため、室を使用する全ワーカーの満足度を高め難いことが多いが、特許文献１のように椅子に加温・冷却機能や吸湿等の制御機能を持たせると、単に室の全体を空調する場合に比べて電力の使用量を低減できるだけでなく、個人の好みに応じて温度等を調節し得るため、各ワーカーの満足度にも貢献できる。
【０００５】
移動自在な椅子に温度等の制御機能を持たせるに当たって一つの問題は、電源の確保である。床上を自由に移動するという性質上、ケーブルで給電するのは現実的ではなく、バッテリーを設けるのが現実的である。この場合、バッテリーには充電せねばならず、充電方法として、例えば終業時等に充電用プラグを接続しておくことが考えられる。しかし、この方法は、使用者がプラグの接続を忘れた場合に対応できないという問題がある。
【０００６】
他方、例えば特許文献２に開示されているように、電磁誘導等を利用したワイヤレス方式（無接点方式、コードレス方式）の送電手段（通電手段）が開発されており、特許文献３，４にはワイヤレス方式通電手段を机（テーブル）に適用して、天板の下面や内部に無線送電部を設けることにより、机上に載置した機器に電力を供給することが開示されている。
【先行技術文献】
【特許文献】
【０００７】
【特許文献１】特開２０１１−５６１７３号公報
【特許文献２】特許第４２４０７４８号公報
【特許文献３】特開２００５−９４８４３号公報
【特許文献４】特開２０１１−１２０４５１号公報
【発明の概要】
【発明が解決しようとする課題】
【０００８】
椅子のバッテリーへの充電方法として、特許文献３〜４のようなワイヤレス方式通電手段を採用することが考えられる。しかし、ワイヤレス方式通電手段では無線送電部と無線受電部とはある程度の距離以内に接近させておかねばならない場合が多い一方、椅子は使用者の意思に基づいて自在に移動するものであるため、通電状態を確保するめの手段を講じる必要がある。
【０００９】
その一つとして、例えば床に無線送電部を設けて椅子の脚に無線受電部を設けることが考えられるが、移動式の椅子ではキャスタを設けていることが多いため、無線送電部と無線受電部との間隔を通電許容範囲内に狭めることが困難になることが多い。また、無線送電部を床に設けるのは、安全上の問題も多い。従って、床からの送電方式は汎用性が低いと言える。
【００１０】
本願発明はこのような現状に鑑み成されたものであり、椅子に設けたバッテリーに無線通電することを、現実性が高い状態で提供せんとするものである。また、机の上や内部、或いは机の周囲には電気機器が多く使用されており、これら使用者が机を使用しない場合はこれら周辺の電気機器もＯＦＦ又はＯＮにせねばならないことがあるが、従来、これら周辺の電気機器は使用者が自らの意思に基づいてスイッチ等を操作しているため、操作を忘れてしまう問題もあった。例えば、机又は袖キャビネットの引出しに電気錠を設けている場合、終業時等に電気錠を施錠せねばならないのにこれを忘れてしまうといった問題である。本願発明はこの問題を解決することも課題の一つにしている。
【課題を解決するための手段】
【００１１】
オフィス等において、椅子は机（テーブル）とセットで使用されることが大半である。本願発明者たちはこの点に着目して、本願各請求項の発明を完成させるに至った。すなわち、請求項１の発明は椅子に関するものであり、この発明は、脚で支持された座とバッテリーとを備えた移動自在な椅子において、その適宜部位に、机に設けた無線送電部から送電された電力を受電して前記バッテリーに供給する無線受電部を設けている。
【００１２】
請求項２の発明は請求項１の発明を具体化したもので、この発明の椅子は、更に背もたれを備えており、前記背もたれの左右両側部のうち片方又は両方に前記無線受電部を設けていると共に、前記座と背もたれとのうちいずれか一方又は両方に、前記バッテリーで駆動される温度又は湿度の制御手段を設けている。
【００１３】
請求項３の発明は机に係るものであり、この机は、天板とこれを支持する支持体とを有しており、前記天板の前端部に、椅子の背もたれに設けた無線受電部に無線給電する無線送電部を設けているか、又は、前記天板の下面部に、前記椅子の座に設けた無線受電部に送電する無線送電部を設けている。
【００１４】
請求項４の発明は、天板を有する机と座及び背もたれを有する移動自在な椅子との組み合わせに関するものであり、前記机における天板の前端部に無線送電部を設けている一方、前記椅子はバッテリーを備えており、前記椅子における背もたれの前面部に、当該前面部を前記机における天板の前端部に当接又は近接させると前記無線送電部から受電可能な無線受電部を設けている。
【００１５】
請求項５の発明は請求項４の発明の展開例であり、この発明では、前記机の天板と椅子の背もたれとのうちいずれか一方又は両方に、前記無線送電部から無線受電部に通電中であることを視覚的に視認させる表示手段が設けられている。
【００１６】
請求項６の発明は請求項４又は５に記載した机と椅子の組み合わせの展開例であり、この発明では、前記椅子をその背もたれが机の天板の前端に当接又は近接するようにセットして前記無線送電部から無線受電部に通電が開始されることにより、前記机の内部に配置した袖キャビネットにおける引出しをロックする電気錠が施錠状態に作動することと、前記机に設けた引出しをロックする電気錠が施錠状態に作動することと、前記机の上に設置した照明スタンドが消灯することと、前記椅子に設けた温度又は湿度の制御装置がＯＦＦになることとのうちの少なくとも１つが実行される。
【発明の効果】
【００１７】
本願発明では、机に設けた無線送電部から椅子の無線受電部に給電されるため、移動自在な椅子でありながら、無線方式で安全に給電することができる。また、一般に椅子は不使用時には座や脚を机の内部に収納するものであり、このため、請求項２〜４の構成にすると、終業等によって椅子を机に収納することで通電を開始できるため、充電し忘れることを防止できる。すなわち、人の習慣を利用して充電忘れを防止できるのであり、このためユーザーフレンドリーである。
【００１８】
更に、使用されていない椅子が机から離れた位置にランダムな姿勢で放置されていることがあるが、本願発明では、充電のために椅子を机に深く押し込む行為を使用者に促す効果があり、その結果、人が使用していない椅子が乱雑に放置されている状態を無くしてオフィスの整理整頓や美化に貢献できる。
【００１９】
さて、椅子に無線受電部を設けるにおいては、例えば座の側縁部に無線受電部を設けて机の脚に無線送電部を設けるといったことも可能であるが、この場合は、座の側縁が机の脚に当接又は近接するように一々確認してセットせねばならないため、使用者に手間を強いることになる。これに対して請求項２〜４の構成を採用すると、椅子の左右位置に関係なく、座が机の内部に入り込むように椅子を押しやるだけで通電状態を確保できるため、使用者に余分な負担を強いることは全くない。この面においてもユーザーフレンドリーである。
【００２０】
なお、無線送電部から無線受電部への通電開始のきっかけとしては、無線送電部を常に送電可能な状態にしておいて、無線受電部が通電可能エリアに入ると自動的に通電が開始される構成にすることもできるし、机と椅子とに、椅子を机に収納するとＯＮになるスイッチ手段を設け、スイッチ手段のＯＮによって無線送電部から無線受電部への通電を開始することもできる。スイッチ手段は種々採用できるが、椅子の背もたれに金属片を設けて、この金属片が机の金属製天板に当接することによるショート現象を利用すると構造を簡単化できる利点がある。
【００２１】
請求項５のように無線送電中であることを人に視認させる表示手段を設けると、充電されているか否かを使用者や管理者が把握できるため、例えば、無線受電部が無線送電部に十分に近づいておらずに充電がなされていない場合に、椅子を押し込んで通電状態に保持するという行動を採らせることができる。従って、充電忘れをより的確に防止できる。
【００２２】
請求項６の構成を採用すると、椅子を机に収納する行為をきっかけとして、椅子自体の機器や机の周辺の機器を制御できる。例えば、袖キャビネットの引出しや机自体の引出しに電器錠を設けている場合に適用すると、終業等に際して施錠せねばならないのに施錠を忘れてしまった場合に、椅子を机に収納する行為に起因して自動的に施錠でき、その結果、オフィスのセキュリティを向上できる。
【００２３】
また、席にすぐに戻るつもりで離席したが長時間戻らないということは良くあり、その場合に机上の灯具が点灯したままになっていることがあるが、本願請求項６を適用すると、椅子を机に収納する行為に起因して灯具を自動的に消灯できるため、オフィスの省エネに貢献できる。同様に、椅子に内蔵した温度制御装置をＯＮにしたまま離席して戻らない場合に、温度制御装置がＯＮになったままで電力を無駄に消費してしまうことも防止できる。
【００２４】
このように机から椅子への無線送電（通電）に起因して各種の機器を制御することは、無線送電の開始によって即座に行われても良いし、タイマー手段を設けて、椅子を机に収納してからある程度の時間が経過してから実行してもよい。また、請求項６のように机から椅子への無線送電（通電）に起因して各種の機器を制御することは、送電部や受電部の位置等に関係なく独立した発明たり得る。
【図面の簡単な説明】
【００２５】
【図１】第１実施形態を示す図で、（Ａ）は椅子を使用している状態での側面図、（Ｂ）は椅子を収納した状態での側面図である。
【図２】第１実施形態を示す図で、（Ａ）は部分平面図、（Ｂ）は椅子の正面図、（Ｃ）は（Ａ）のＣ−Ｃ視断面図、（Ｄ）は（Ｂ）のＤ−Ｄ視断面図である。
【図３】（Ａ）は図２（Ｂ）のIII-III 視概略断面図、（Ｂ）は椅子の収納位置確認手段の一例を示す平面図である。
【図４】第１実施形態のブロック図である。
【図５】第２実施形態の平面図である。
【図６】図５のVI-VI 視概略断面図である。
【発明を実施するための形態】
【００２６】
次に、本願発明の実施形態を図面に基づいて説明する。以下の説明で方向を特定するため「前後」「左右」の文言を使用するが、机については、奥行き方向を前後方向として間口方向を左右方向としており、椅子については、普通に着座した人の向きを基準にしている。
【００２７】
(1).第１実施形態の構造
まず、図１〜図４に示す第１実施形態を説明する。本実施形態の机１及び椅子２は、基本構成は従来と同様であり、机１は天板３を左右の脚４で支持した構成であり、天板３の下面には薄い引出し（センター引出し）５を配置している。天板３はスチール製であり、図２（Ｃ）にように、前端部はフロント中空部３ａになっている。敢えて述べるまでもないが、天板３は木製や合板製であってもよい。脚４は支持体の一例である。支持体として袖キャビネットを使用することも可能である。
【００２８】
天板３におけるフロント中空部３ａの内部には、電磁誘導等を利用した無線送電部６を設けている。無線送電部６は左右方向に長く延びている。無線送電部６は電波が机の手前側に放射されるように設定している。なお、無線送電部６はフロント中空部３ａの内部に隠れているが、フロント中空部３ａの前端部に左右横長の溝穴を形成し、この溝穴から手間側に露出させることも可能である。
【００２９】
無線送電部６はコアにコイル（送電コイル）を巻いた基本構成でおり、この無線送電部６に、整流回路や発振回路等を有する送電制御部７（図４参照）からケーブルを介して電流が供給される。送電制御部７には建物のコンセントから交流電力が供給される。送電制御部７は、机の適宜部位（例えば背面部に設けた配線ダクトの内部や天板３の下面）に配置されている（送電制御部７をフロント中空部３ａに配置することも可能である。）。図１では、無線送電部６は便宜的に露出した状態に表示している。
【００３０】
他方、椅子１は座８と背もたれ９とを有しており、座８の下方には脚装置１０を配置している。脚装置１０は、略水平状に延びる複数本（５本）の枝足１１と中央部に位置した脚支柱（ガスシリンダ）１２とを有しており、枝足１１の先端にはキャスタ１３を設けている。従って、椅子２は移動自在及び持ち運び自在である。
【００３１】
脚支柱１２の上端にはベース１４を固定している。ベース１４には背フレーム１５が後傾動自在に連結されており、この背フレーム１５に背もたれ９を取り付けている。図３（Ａ）に概略を示すように、座８は、ＰＰ等の樹脂より成る座インナーシェル１７とその上に張った座クッション１８とを有しており、座インナーシェル１７はその下に配置した座アウターシェル１９に取り付けられている。
【００３２】
座アウターシェル１９の前部は、直接に又は中間金具を介してベース１４の前部に前後動可能に連結されている一方、座アウターシェル１９の後部は、背フレーム１５に、直接に又は中間金具を介して相対回動可能に連結されており、このため、座８は背もたれ９の後傾動に連動して後退しつつ後傾する。なお、座アウターシェル１９は座８の一部と見ることもできるし、座アウターシェル１９を含めた全体を座部と呼ぶことも可能である。
【００３３】
座インナーシェル１７の相当範囲は上向き開口凹状の座用囲い部材２０で下方から覆われており、座インナーシェル１７と座用囲い部材２０との間は下部通気空間２１になっている。座用囲い部材２０は非通気構造である一方、座インナーシェル１７には穴やスリット等の通気部が多数形成されており、かつ、座クッション１８も通気性を有している。
【００３４】
下部通気空間２１の前部に座用ファンユニット２２を配置している。座用ファンユニット２２はケース２３と座用ファン２４とを有しており、座用ファン２４で吸引した外部空気を下部通気空間２１から座クッション１８に送ったり、逆に、座クッション１８の表面から空気を吸引したりすることができる。座インナーシェル１７は着座によって下向きに沈むように弾性変形し得る。そこで、着座による座インナーシェル１７の弾性変形が許容されるように、座用囲い部材２０は座アウター１８との間には空間が空いている。なお、座用囲い部材２０を設けずに、座用アウターシェル１９を囲い部材に兼用することも可能である（この点は背もたれ９も同様である。）。
【００３５】
加温手段としては、ケース２３の開口部に網状のヒータを配置して、温風を下部通気空間２１から座インナーシェル１７に放散させてもよいし、図３に一点鎖線で示すように、座インナーシェル１７の上面等に面状等のヒータ２５を配置してもよい。ヒータ２５を使用する場合は、加温時に座用ファン２４を駆動する必要はない。冷却手段としては、単に座用ファン２４で送風又は吸引するだけで足りると言えるが、冷却機能を高めたい場合は小型の冷却ユニットを設けたらよい。冷却ユニットとしては、冷媒を使用したものの他に、ペルチェ素子を使用した電子冷却方式のものも採用できる。
【００３６】
除湿機能としては、座用ファン２４で座８の表面の空気を吸引するだけで足りると言えるが、より高い除湿機能を得たい場合は、除湿ユニットを配置したらよい。加温機能と冷却機能と除湿機能とを有するエアコン同様の環境制御ユニットを設けることも可能である。
【００３７】
座用ファン２４には、座アウターシェル１９の下面に設けたバッテリー２６（図１，図２（Ｂ）参照）から給電される。また、座アウターシェル１９の右側部に、座用ファン２４をＯＮ・ＯＦＦする座用スイッチ２７（図２（Ｂ）参照）を設けている。座用スイッチ２７は単なるＯＮ・ＯＦＦ機能にとどまらず、温度調節機能を持たせてもよい。例えば座用スイッチ２７を回転する摘まみ方式として、基準位置を境にして正転させると加温、逆転させると冷却と設定して、回転角度に応じて加温と冷却との機能がアップするように構成することが可能である。
【００３８】
背もたれ９も座８と似た構造である。すなわち、背もたれ９は、ＰＰ等の樹脂より成る背インナーシェル２９とその上に張った背クッション３０とを有しており、背インナーシェル２９はその後ろに配置した背アウターシェル３１に取り付けられている。背アウターシェル３１の背フレーム１５に取り付けられている。
【００３９】
背インナーシェル２９の背面は、その相当範囲が前向き凹状に湾曲した背用囲い部材３２で後ろから覆われており、背インナーシェル２９と背用囲い部材３２との間は上部通気空間３３になっている。背用囲い部材３２は非通気構造である一方、背インナーシェル２９には穴やスリット等の通気部が多数形成されており、かつ、背クッション３０も通気性を有している。
【００４０】
上部通気空間３３の下部に背用ファンユニット３４を配置している。背用ファンユニット３４はケース３５と背用ファン３６とを有しており、背用ファン３６で吸引した外部空気を上部通気空間３３から背クッション３０に送ったり、逆に、背クッション３０の表面から空気を上部通気空間３３に吸引することができる。背もたれ９においても、背インナーシェル２９の前面等にヒータ３７を配置することが可能である。加温手段及び冷却手段を各種の構造にし得ることは座８の場合と同様である。本実施形態では、ファンユニット２２，３４と囲い部材２０，３２が温度又は湿度の制御手段を構成している。
【００４１】
背用ファン３６にもバッテリー２６から給電される。また、座アウターシェル１９の左側部に、背用ファン３６をＯＮ・ＯＦＦする背用スイッチ３８（図２（Ｂ）参照）を設けている。背用スイッチ３８についても、単なるＯＮ・ＯＦＦ機能にとどまらず温度調節機能を持たせることが可能である。
【００４２】
背もたれ９は平面視で前向き凹状に湾曲しており、従って、椅子２を、座８が机１の内部に入り込むように押し込むと、背もたれ９の左右両側部が天板３の前端に当たる。そこで、図２（Ｄ）に示すように、背インナーシェル２９の左右両側部に縦長のサイド溝３９を形成し、このサイド溝３９に無線受電部４０を配置することにより、机１の無線送電部６からの無線通電を可能にしている。
【００４３】
無線受電部４０もコアに受電コイルを巻いた基本構成であり、背クッション３０を覆う表皮材３０ａで前から覆われている。従って、無線受電部４０は外部からは見えない（図１や図２では無線受電部４０は位置を明確化するため黒く塗っているが、実際には表皮材３０ａで隠れている。）。背もたれ９は高さ調節可能であるので、どの高さにしても無線送電部６と重合するように、無線受電部４０は上下に長い形態になっている。
【００４４】
図４に示すように、無線受電部４０で受信した電流は出力回路等を有する受電制御部４１に送信され、ここで例えば１２Ｖや２４Ｖ等の直流電源に変換されてからバッテリー２６に送電される。受電制御部４１は、座８と背もたれ９とのうちいずれに設けてもよい。
【００４５】
(2).第１実施形態のまとめ・変形例
既に説明したように、椅子の使用者は座用ファン２４を駆動したり背用ファン３６を駆動したりすることにより、身体に接する温度環境又は湿度環境を調節することができる。従って、個々人に適応したきめ細かい環境を実現できると共に、室全体の空調は暖房時には高めにしておいて冷房時には低めにしておくか、又はＯＦＦにしておくことができるため、ワーキング環境の維持に要するコストも低減できる。
【００４６】
そして、例えば終業によって椅子を机に収納すると、背もたれ９に設けた無線受電部４０が机１の無線送電部６に近接して、無線送電部６から無線受電部４０への通電が開始する。このため、終業後の時間のように椅子１を使用していない時間を利用して、バッテリー２６に自動的に充電することができる。
【００４７】
無線送電に際しては、送電制御部７を起動する必要があるが、送電制御部７は常に起動させてスタンバイ状態にしておいてもよいし、椅子２を机に収納することに起因したスイッチ手段によって起動させてもよい。椅子２を机に収納することに起因したスイッチ手段としては、例えば、背もたれ９の前面のうち左右両側部などに天板３の前端に接触し得る金属片や金属箔を設けておいて、金属片や金属箔が接触すると（ショートすると）天板３の電気抵抗が変化することを利用することが可能である。
【００４８】
背もたれ９の前面に金属片や金属箔等を設けた場合、無線受電部４０も背もたれ９の前面に設けることは可能であるが、無線送電部６から発振された高周波電波の受信が金属片等によって悪影響を受けるおそれがある場合は、図１（Ｂ）に一点鎖線で示すように、例えば天板３の下面のうち奥まった部位に無線送電部６を設けて、座８に無線受電部４０を設けてもよい。この場合、無線送電部６と無線受電部４０との平面視形状や面積、或いは配置位置は任意に設定できる。無線送電部６は左右方向に長く延びる長さとして、無線受電部４０は座８の左右側部の片側又は両側の一部だけに設けることも可能である（座８の左右位置が不揃いであっても、必ず送電される。）。
【００４９】
図２（Ａ）に模式的に示すように、天板３の前端面や背もたれ９の上面に、無線送電部６から無線受電部４０への通電が行われていることを視認せしめる表示手段の一例としてパイロットランプ４３を設けることが可能である。パイロットランプ４３はＬＥＤ方式が好適であり、天板３と背もたれ９とのうち片方だけに設けてもよい。
【００５０】
なお、天板３のパイロットランプ４３は天板３の前端から突出した状態に表示しているが、天板３の前面と同一面に設定するのが好ましい。パイロットランプ４３は通電中は（充電中は）点灯しっぱなしでも良いし、通電中は点滅する方式としてもよい。充電中と充電終了後とで色を変えるのが好ましい。
【００５１】
無線送電部６から無線受電部４０に無線送電するにおいては、方式等によって違いはあるものの送電可能な（或いは効率良く送電できる）間隔（距離）は限度があり、距離がある程度以上広がると無線送電できなくなったり効率が低下したりする。従って、椅子は無線送電が可能な適正位置に収める必要があり、そのためには、無線送電に適正な位置であることを使用者に視認させる手段を講じるのが好ましい。
【００５２】
この認識手段としては、図３（Ｂ）に示すように、天板３の上面又は床面Ｆに、座８の前端が位置しておらねばならない限度位置を表示するラインＬを設けたり、座８の上面に、適正位置において天板３の前端の真下に位置しておらねばならない範囲の後端を表示するラインＬを設けておく、といった方法を採用できる。椅子２の奥行き寸法は概ね判っているので、天板３の上面にラインＬを設けておいても使用者の認識機能は問題ないと言える。また、天板３の下方の床Ｆも斜めから視認できるで、床ＦにラインＬを設けていても視認性にはさほどの問題はないと推測される。
【００５３】
床Ｆに認識手段を設ける場合、横長の突起することも可能である。また、横長の突起を床に設ける場合、キャスタ１３が突起を乗り越えると適正位置であると認識させることも可能である（椅子の使用状態では、椅子２は机１の奥まで入り込むことはないため、使用状態でキャスタ１３が突起に当たることはなく、従って、使用の障害にはならない。）。座８にラインＬを設けることは視認性において優れていると言える。ラインの具体的な手段としては、座８を構成する表皮材の色とは異なる色の糸を縫い込んだり、ラインＬの前後で表皮材の色を異ならせるといったことが考えられる。
【００５４】
(3).他の実施形態
図５及び図６では、請求項６を具体化した実施形態を示している。この実施形態では、天板３の下方の空間にワゴン方式等の袖キャビネット４４を配置している。袖キャビネット４４は前向きに開口した本体４５とその内部に配置した複数段の引出し４６とを有しており、例えば、上段の引出し４６の前部に設けた中空鏡板４７の内部に電気錠４８を配置している。
【００５５】
電気錠４８は電磁ソレノイド方式であり、上向きに突出したデッドボルト４８ａを有している。デッドボルト４８ａが本体４５の框部４９に形成した係合穴５０に嵌まることで、上段の引出し４６は前進動不能にロックされる（実際には、デッドボルト４８ａは電磁ソレノイドの可動鉄心と別に構成されている。）。そして、天板３の下面部（例えば補強３ｂの内部）に無線送電部５１を設ける一方、袖キャビネット４４における本体４５の上面部には無線受電部５２を設け、無線受電部５２から受電制御部５３とバッテリー５４とを介して電気錠４８に給電している。引出し４６は前後動するので、バッテリー５４からはフレキシブルなケーブル５５を介して電気錠４８に給電している。
【００５６】
さて、終業時には引出し４５をロックせねばならないが、忘れてしまうことがある。そこで、本実施形態では、電気錠４８が解錠状態のままであると、椅子２を机１に押し込んで天板２の前端部の無線送電部６から椅子の無線受電部４０への送電が開始されると、その電流の流れをトリガーとして、電気錠４８を施錠する。このため、引出し４６のロック忘れを防止できる。すなわち、椅子２を机１に押し込み収納するという行為に基づいて電気錠４８が自動的に施錠されるのである。
【００５７】
なお、椅子２と電気錠４８との関係は図４のブロック図でも表示している。電気錠４８の制御信号は無線で行うことも可能であるが、電源線を利用するのが好ましい。離席してからファン２４，３６のスイッチを切り忘れることがあり得る。この点についても、図４に一点鎖線で示すように、回路にスイッチ制御部５５を設けて、机１から椅子２への無線送電を契機として、スイッチ２７，３８がＯＮのままであった場合にＯＦＦにする。図１（Ａ）に部分的に示す照明装置（スタンド）５７が点灯したままになっている場合に、これをＯＦＦにすることも可能である。
【００５８】
(4).その他
本願発明は、上記の実施形態の他にも様々に具体化できる。例えば椅子はロッキング椅子には限らず、各種の移動式椅子に適用できる。キャスタを備えていない椅子にも適用できる。無線送電部を起動させる手段としては、机の天板等に赤外線方式等の人検知センサを設けておいて、人が離席したことを検知したら無線送電部が起動させるように設定することも可能である。
【００５９】
椅子のバッテリーは、温度制御装置のように使用者の作業環境を良くするための機器に給電することには限らない。例えば、小テーブルを有する椅子において、テーブルに載せて使用するノートパソコンや携帯端末のための電源として使用することもできる。或いは、電動指圧器のような器具の電源とすることも可能である。ファンユニットを設ける場合、例えば座の前後中間部や後端部に配置したり、背もたれの上下中間部や上端部に配置したりすることも可能である。図１（Ａ）に一点鎖線で示すように椅子に肘掛け装置を設けている場合、肘当ての前端部や上端部に無線受電部を設けることも可能である。
【産業上の利用可能性】
【００６０】
本願発明は机と椅子に実際に適用できる。従って、産業上利用できる。
【符号の説明】
【００６１】
１  机
２  椅子
６  机の無線送電部
７  机の送電制御部
８  座
９  背もたれ
１０  脚装置
１３  キャスタ
１７  座インナーシェル
１８  座クッション
１９  座アウターシェル
２０  囲い部材
２１  下部通気空間
２２  座用ファンユニット（制御手段）
２５  座用ヒータ
２９  背インナーシェル
３０  背クッション
３１  背アウターシェル
３２  囲い部材
３３  上部通気空間
３４  背用ファンユニット（制御手段）
３７  背用ヒータ
４０  椅子の無線受電部
４１  椅子の受電制御部
４３  表示手段の一例としてパイロットランプ
【図１】
2013046548.tif 000003
【図２】
2013046548.tif 000004
【図３】
2013046548.tif 000005
【図４】
2013046548.tif 000006
【図５】
2013046548.tif 000007
【図６】
2013046548.tif 000008